【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
第１の機器と、
第２の機器と、
サーバ装置と、
を備え、
前記第１の機器は、
ユーザを識別するユーザ識別情報を取得する第１の取得部と、
報知命令を示す報知命令情報と前記第１の取得部が取得したユーザ識別情報とを前記サーバ装置へ送信する通信部と、
を備え、
前記第２の機器は、
前記ユーザ識別情報を取得する第２の取得部と、
前記第２の取得部が取得した前記ユーザ識別情報を前記サーバ装置へ送信する無線通信部と、
を備え、
前記サーバ装置は、
前記第１の機器の前記通信部から前記報知命令情報と前記ユーザ識別情報とを受信し、前記第２の機器の前記無線通信部から前記ユーザ識別情報を受信する通信部と、
通知可能な範囲に存在するユーザから、前記第１の取得部が取得したユーザ識別情報と一致するユーザ識別情報を取得した前記第２の取得部を備える第２の機器を、報知する報知装置として特定する特定部と、
を含み、
前記サーバ装置が備える前記特定部は、
前記第２の機器から受信した前記ユーザ識別情報を、前記第２の機器を識別する報知装置識別情報と関連付けて前記記憶部に記憶させる記憶制御部と、
複数のユーザ識別情報のうちから選択され、前記第１の機器から送信された一のユーザ識別情報に対応する報知装置識別情報を前記記憶部から抽出する抽出部と、
を備え、
前記サーバ装置が備える前記報知制御部は、前記抽出部が抽出した報知装置識別情報が示す報知装置へ前記報知命令情報を前記通信部に送信させる
通知システム。
【請求項２】
前記第２の機器は、
予め決められた範囲に人がいることを検出する人感検出部を備え、
前記特定部は、前記人感検出部により人がいることが検出された場合、該人感検出部を備える第２の機器を前記特定報知装置として特定する
請求項１に記載の通知システム。
【請求項３】
前記第２の機器は、前記第１の機器が通知元であることを含めて通知する
請求項１または２に記載の通知システム。
【請求項４】
前記第１の機器が備える前記第１の取得部は、前記ユーザ識別情報を無線で受信し、
前記第１の機器が備える前記通信部は、前記報知命令情報と前記ユーザ識別情報とを前記サーバ装置へ無線で送信し、
前記第２の機器が備える前記第２の取得部は、前記ユーザ識別情報を無線で受信し、
前記第２の機器が備える前記無線通信部は、前記ユーザ識別情報を前記サーバ装置へ無線で送信する
請求項１に記載の通知システム。
【請求項５】
報知命令を示す報知命令情報と、前記第１の機器が受信したユーザを識別するユーザ識別情報とを、前記第１の機器から受信するステップと、
前記第１の機器とは異なる第２の機器が前記第１の機器から受信した前記ユーザ識別情報を前記第２の機器から受信するステップと、
通知可能な範囲にユーザが存在する第２の機器であって、前記第１の機器が取得したユーザ識別情報と一致するユーザ識別情報を取得した前記第２の機器を、報知する特定報知装置として特定するステップと、
前記特定した特定報知装置に、前記報知命令情報を報知させるステップと、
を含み、
前記第２の機器を報知する特定報知装置として特定するステップは、
前記第２の機器が送信した前記ユーザ識別情報を、前記第２の機器を識別する報知装置識別情報と関連付けて記憶するステップと、
複数のユーザ識別情報のうちから選択され、前記第１の機器から送信された一のユーザ識別情報に対応する報知装置識別情報を抽出するステップと、
を含み、
前記特定した特定報知装置に前記報知命令情報を報知させるステップは、前記抽出した報知装置識別情報が示す報知装置へ前記報知命令情報を送信するステップ
を含むサーバ装置のための通知方法。
【請求項６】
ネットワークを管理するサーバ装置と、
前記ネットワークに接続可能な少なくとも第１と第２の機器と、
を含み、
前記サーバは、前記第２の機器の動作中に前記第１の機器から第１の人間を識別する識別子を受信した場合、前記第２の機器以外の少なくとも１つの機器から少なくとも１人の人間に通知すべき前記第２の機器の動作に関する情報を前記第２の機器から受信する
システム。
【請求項７】
前記少なくとも１人の人間は、前記第１の人間と同一である
請求項６に記載の通知システム。
【請求項８】
前記少なくとも１人の人間は、前記第１の人間と異なる
請求項６に記載のシステム。
【請求項９】
前記少なくとも１人の人間は、前記第１の人間を含む複数の人間から選択される
請求項６に記載のシステム。
【請求項１０】
前記サーバは、前記少なくとも１つの機器が前記少なくとも１人の人間に前記情報を通知するタイミングをそれぞれ制御する
請求項６に記載のシステム。
【請求項１１】
少なくとも第１と第２の機器が接続可能なネットワークを管理し、前記第２の機器の動作中に前記第１の機器から第１の人間を識別する識別子を受信した場合、前記第２の機器以外の少なくとも１つの機器から少なくとも１人の人間に通知すべき前記第２の機器の動作に関する情報を前記第２の機器から受信する制御部
を含むサーバ装置。
【請求項１２】
サーバ装置に管理され、少なくとも第１と第２の機器が接続可能なネットワークを介して、前記第２の機器の動作中に前記第１の機器から第１の人間を識別する識別子を受信した場合、前記第２の機器以外の少なくとも１つの機器から少なくとも１人の人間に通知すべき前記第２の機器の動作に関する情報を前記第２の機器から受信するステップ
を含むサーバ装置のための方法。
【請求項１３】
ネットワークを管理するサーバ装置と、
前記ネットワークに接続可能な少なくとも第１と第２の機器と、
を含み、
前記サーバ装置は、前記ネットワークを介して、前記第１の機器以外の少なくとも１つの機器から少なくとも１人の人間に通知すべき前記第１の機器の動作に関する情報を前記第１の機器から受信し、前記少なくとも１つの機器が前記少なくとも１人の人間に前記情報を通知するために出力する音の出力タイミングをそれぞれ制御する
システム。
【請求項１４】
少なくとも第１と第２の機器が接続可能なネットワークを管理し、前記ネットワークを介して、前記第１の機器以外の少なくとも１つの機器から少なくとも１人の人間に通知すべき前記第１の機器の動作に関する情報を前記第１の機器から受信し、前記少なくとも１つの機器が前記少なくとも１人の人間に前記情報を通知するために出力する音の出力タイミングをそれぞれ制御する制御部
を含むサーバ装置。
【請求項１５】
サーバ装置に管理され、少なくとも第１と第２の機器が接続可能なネットワークを介して、前記第１の機器以外の少なくとも１つの機器から少なくとも１人の人間に通知すべき前記第１の機器の動作に関する情報を前記第１の機器から受信するステップと、
前記少なくとも１つの機器が前記少なくとも１人の人間に前記情報を通知するために出力する音の出力タイミングをそれぞれ制御するステップと、
を含むことを特徴とするサーバ装置のための方法。
【手続補正２】
【補正対象書類名】明細書
【補正対象項目名】発明の名称
【補正方法】変更
【補正の内容】
【発明の名称】通知システム、通知方法、システム、サーバ装置、及びサーバ装置のための方法
【手続補正３】
【補正対象書類名】明細書
【補正対象項目名】０００１
【補正方法】変更
【補正の内容】
【０００１】
本発明は、通知システム、通知方法、システム、サーバ装置、及びサーバ装置のための方法に関する。